(57)【特許請求の範囲】
【請求項１】
無線通信システムにおけるモバイル機器のためのＣＳＧ（Ｃｌｏｓｅｄ  Ｓｕｂｓｃｒｉｂｅｒ  Ｇｒｏｕｐ）の手動による選択を行なうための方法であって、
許可済みＣＳＧ  ｉｄｅｎｔｉｔｙのオペレータ制御リストに存在するＣＳＧ  ｉｄｅｎｔｉｔｙだけを表示する工程と、
上記許可済みＣＳＧ  ｉｄｅｎｔｉｔｙのオペレータ制御リストが空であれば、上記ＣＳＧの手動による選択において周波数スキャンの実施を禁止する工程とを含む、方法。
【請求項２】
空の許可済みＣＳＧ  ｉｄｅｎｔｉｔｙのオペレータ制御リストまたはエラーメッセージをユーザに対して表示する工程をさらに含む、請求項１に記載の方法。
【請求項３】
Ｃｌｏｓｅｄ  Ｓｕｂｓｃｒｉｂｅｒ  Ｇｒｏｕｐ（ＣＳＧ）の手動による選択を行なうための、無線通信システムのモバイル機器であって、
許可済みＣＳＧ  ｉｄｅｎｔｉｔｙのオペレータ制御リストに存在するＣＳＧ  ｉｄｅｎｔｉｔｙだけを表示するための手段と、
上記許可済みＣＳＧ  ｉｄｅｎｔｉｔｙのオペレータ制御リストが空であれば、上記ＣＳＧの手動による選択において周波数スキャンの実施を禁止するための手段とを備えた、モバイル機器。
【請求項４】
空の許可済みＣＳＧ  ｉｄｅｎｔｉｔｙのオペレータ制御リストまたはエラーメッセージをユーザに対して表示するための手段をさらに備えた、請求項３に記載のモバイル機器。
【発明の詳細な説明】
【技術分野】
【０００１】
本願は、無線通信システムにおいて使用される方法およびその通信装置に関し、具体的には、無線通信システムにおいてＣｌｏｓｅｄ  Ｓｕｂｓｃｒｉｂｅｒ  Ｇｒｏｕｐの手動による選択を行なうための方法および関連する通信装置に関する。
【背景技術】
【０００２】
〔先行技術に関する記載〕
１つの国で１つのオペレータによって運営されるネットワーク（例えばＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）、Ｌｏｎｇ−Ｔｅｒｍ  Ｅｖｏｌｕｔｉｏｎ（ＬＴＥ）、または、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ））は、Ｐｕｂｌｉｃ  Ｌａｎｄ  Ｍｏｂｉｌｅ  Ｎｅｔｗｏｒｋ（ＰＬＭＮ）として知られている。このＰＬＭＮは、Ｍｏｂｉｌｅ  Ｎｅｔｗｏｒｋ  Ｃｏｄｅ（ＭＮＣ）およびＭｏｂｉｌｅ  Ｃｏｕｎｔｒｙ  Ｃｏｄｅ（ＭＣＣ）の対からなる。したがって、ユーザ装置（“ＵＥ”；  ｕｓｅｒ  ｅｑｕｉｐｍｅｎｔ）とも呼ばれる移動局（“ＭＳ”；  ｍｏｂｉｌｅ  ｓｔａｔｉｏｎ）は、それぞれＰＬＭＮのＭＣＣおよびＰＬＭＮのＭＮＣにしたがって、訪問中の国およびネットワークプロバイダを特定する。ＵＥは、スイッチオンされる（つまり、電力が投入される、フライトモードがオフになる、または、サービス非提供地域から戻ってくる）とＰＬＭＮに通信しようとし、セルが提供するサービスを受けるために、滞在するＰＬＭＮの適切なセルを探索する。
【０００３】
また、３ＧＰＰは、ＰＬＭＮの１つ以上のセルであってアクセスが制限されるセル（ＣＳＧセル）へのアクセスが許可されるオペレータの加入者を特定するＣｌｏｓｅｄ  Ｓｕｂｓｃｒｉｂｅｒ  Ｇｒｏｕｐ（ＣＳＧ）を規定している。ＣＳＧ  ｉｄｅｎｔｉｔｙ（ＣＳＧ  ＩＤ）を有するＣＳＧのメンバーが、ＣＳＧセルにアクセスすることができる。アクセス制御を容易にするために、ＣＳＧに加入しているＵＥは、ＵＥがアクセスすることを許可されているＣＳＧに関連する１つ以上のＣＳＧ  ｉｄｅｎｔｉｔｙを含む、許可済みＣＳＧリストを有する。この許可済みＣＳＧリストは、オペレータ、ＵＥ、または、両者によって修正可能である。さらに、ＵＥは、許可済みＣＳＧ  ｉｄｅｎｔｉｔｙのオペレータ制御リスト（オペレータＣＳＧリスト）を保持する。なお、このオペレータ制御リスト（オペレータＣＳＧリスト）を修正できるのはオペレータだけである。ＵＥは、この許可済みＣＳＧリストおよびオペレータＣＳＧリスト、さらにＣＳＧによるＣＳＧ  ＩＤのブロードキャストを利用して、ＣＳＧセルの選択および再選択を行う。ＣＳＧセルの選択では、ＣＳＧを手動で選択することによって、ユーザはＣＳＧ  ＩＤを選択することができるようになる。ＣＳＧを手動で選択するためには、ユーザは、利用可能なＣＳＧのスキャンを実行するように、ＵＥにリクエストできなければならない。ＵＥは、このようなリクエストを受信すると、利用可能なＣＳＧ、そのＣＳＧ  ｉｄｅｎｔｉｔｙ、および、そのＨｏｍｅ  Ｎｏｄｅ  Ｂ（ＨＮＢ）名のスキャンを実行しなければならない。
【０００４】
ＵＥの表示装置には、利用可能なＣＳＧが、これに関連するＨＮＢ名およびＰＬＭＮ名によって表示される。ＨＮＢ名が利用可能でなければ、ＣＳＧ  ＩＤが替わりに表示される。その一方で、ｈｏｍｅ  ＰＬＭＮ（ＨＰＬＭＮ）は、利用可能なＣＳＧをＵＥが表示できるように、ＵＥをＰＬＭＮに基づいて構成する。ただしこの場合、利用可能なＣＳＧはすべてが表示されるか、または、オペレータＣＳＧリストに含まれている利用可能なＣＳＧだけが表示されるかのいずれかである。なお、ＨＰＬＭＮとは、そのＰＬＭＮ  ＩＤのＭＣＣおよびＭＮＣが、ＵＥのＩｎｔｅｒｎａｔｉｏｎａｌ  Ｍｏｂｉｌｅ  Ｓｕｂｓｃｒｉｂｅｒ  Ｉｄｅｎｔｉｔｙ（ＩＭＳＩ）のＭＣＣおよびＭＮＣと同じであるＰＬＭＮである。デフォルトでは、ＵＥは、オペレータＣＳＧリストに含まれている利用可能なＣＳＧ  ＩＤだけをある特定のＰＬＭＮについて表示するようにＨＰＬＭＮによって構成されていない限り、どのＰＬＭＮについても、利用可能なＣＳＧ  ＩＤをすべて表示することになっている。ユーザがリスト（例えば許可済みＣＳＧリストまたはオペレータＣＳＧリスト）中の項目を選択すると、ＵＥはユーザが選択したＣＳＧ  ＩＤを有する利用可能なＣＳＧセルのうちのいずれかを再選択する。
【先行技術文献】
【特許文献】
【０００５】
【特許文献１】国際公開第２０１０／０７２０６３Ａ１号（２０１０年７月１日公開）
【非特許文献】
【０００６】
【非特許文献１】3GPP TS 23.122 V10.0.0 3rd Generation Partnership Project; Technical Specification Group Core Network and Terminals; Non-Access-Stratum (NAS) functions related to Mobile Station (MS) in idle mode (Release 10), 2010/06
【非特許文献２】S1-102388 3GPP TSG-SA WG1 Meeting #51 Removal of requirement to inhibit Allowed CSG List and VPLMN Autonomous CSG Roaming clarifications, 2010/08/27
【非特許文献３】Vodafone, Qualcomm Incorporated, Deutsche Telekom, Telecom Italia, "Removal of requirement to inhibit Allowed CSG List", 3GPP TSG-SA WG1 Meeting #51, S1-102190, 23rd-27th August 2010, Seoul, South Korea, XP050448126, P. 1-3., 2010/8/23
【非特許文献４】Qualcomm Europe, "Updating the allowed CSG list on receiving OMA DM message", 3GPP TSG CT WG1 Meeting #58, C1-092119, 20-24 April 2009, Sophia Antipolis(France), XP050337651, P. 1-2., 2009/4/20
【非特許文献５】Qualcomm Europe, "Storage of allowed CSG identities on USIM", 3GPP TSG CT WG6 Meeting #49, C6-080432, 10th-14th November 2008, Shanghai, P.R. China, XP050316087, P. 1-17., 2008/11/10
【非特許文献６】3rd Generation Partnership Project, Technical Specification Group Radio Access Network, Mobility procedures for Home Node B (HNB), Overall description, Stage 2, (Release 9), 3GPP TS 25.367 V9.4.0, 2010-06, page 1-14, 2010/06
【発明の概要】
【発明が解決しようとする課題】
【０００７】
上記の記載に基づいて、本出願人は、ＣＳＧの手動による選択の過程におけるＣＳＧ  ＩＤの表示に関して問題があることに気づいた。先行技術によれば、ＨＰＬＭＮは、ＣＳＧの手動による選択の過程において、利用可能なすべてのＣＳＧ  ＩＤ、または、オペレータＣＳＧリストに存在する項目だけのいずれかをＵＥがユーザに対して表示するように、ＵＥをＰＬＭＮに基づいて構成することがある。しかしながら今のところ、ＵＥは、ＰＬＭＮに基づいて上記構成を処理するための特徴または機能性を一切有していない。したがって、ＨＰＬＭＮは、ＣＳＧの手動による選択のたびに、ＵＥに対して表示情報を構成してやらなければならない。こうしなければ、ＵＥは、ＣＳＧの手動による選択のたびに、常に、利用可能なすべてのＣＳＧ  ＩＤを表示することになる。この動作はＣＳＧの手動による選択の効率に影響を与え、不必要な信号送信の原因となる。
【０００８】
さらに、ＣＳＧの手動による選択において、ＵＥは、サポートされている周波数帯中のすべての周波数をスキャンし、見つかったＣＳＧ  ＩＤのリスト、あるいは、（ＣＳＧセルがブロードキャストしていれば）対応するＨＮＢ名のリストを表示することがある。ただし、ＰＬＭＮ（例えば、Ｖｉｓｉｔｉｎｇ  ＰＬＭＮ）では、ＵＥがオペレータＣＳＧリストに存在するＣＳＧ  ＩＤだけを表示するように構成され、かつ、オペレータＣＳＧリストが空であれば、現在の仕様によれば、ＵＥは利用可能なＣＳＧ  ＩＤを探してそのままスキャンを実施する。この動作は、ＵＥの電池出力を不必要に消費してしまう。
【課題を解決するための手段】
【０００９】
本願は、上記の問題を解決するために、無線通信システムにおいてＣＳＧの手動による選択を行なうための方法、および、関連する通信装置を開示する。
【００１０】
無線通信システムにおけるモバイル機器のためのＣｌｏｓｅｄ  Ｓｕｂｓｃｒｉｂｅｒ  Ｇｒｏｕｐ（ＣＳＧ）の手動による選択を行なうための方法を開示する。本方法は、許可済みＣＳＧ  ｉｄｅｎｔｉｔｙのオペレータ制御リストに存在するＣＳＧ  ｉｄｅｎｔｉｔｙだけを表示する工程と、上記許可済みＣＳＧ  ｉｄｅｎｔｉｔｙのオペレータ制御リストが空であれば、上記ＣＳＧの手動による選択において周波数スキャンの実施を禁止する工程とを含む。
【００１１】
Ｃｌｏｓｅｄ  Ｓｕｂｓｃｒｉｂｅｒ  Ｇｒｏｕｐ（ＣＳＧ）の手動による選択を行なうための、無線通信システムのモバイル機器を開示する。本モバイル機器は、許可済みＣＳＧ  ｉｄｅｎｔｉｔｙのオペレータ制御リストに存在するＣＳＧ  ｉｄｅｎｔｉｔｙだけを表示するための手段と、上記許可済みＣＳＧ  ｉｄｅｎｔｉｔｙのオペレータ制御リストが空であれば、上記ＣＳＧの手動による選択において周波数スキャンの実施を禁止するための手段とを備えている。
【００１２】
本発明のこれらの目的およびその他の目的は、図面に示す好適な実施形態についての以下の詳細な説明を読めば、当業者には明らかになるであろう。
【図面の簡単な説明】
【００１３】
【図１】本発明に係る一例としての無線通信システムの概略図である。
【図２】本発明に係る一例としての通信装置の概略図である。
【図３】本発明に係る一例としての通信システムのための通信プロトコル層の概略図である。
【図４】本発明に係る一例としてのプロセスのフローチャートである。
【図５】本発明に係る一例としてのプロセスのフローチャートである。
【発明を実施するための形態】
【００１４】
〔関連出願件の相互参照〕
本願は、米国特許仮出願第６１／３８２，４９６号明細書（出願日２０１０年９月１４日、発明の名称：「Ｍｅｔｈｏｄ  ｏｆ  ｈａｎｄｌｉｎｇ  ｍａｎｕａｌ  ＣＳＧ  ＩＤ  ｓｅｌｅｃｔｉｏｎ  ｐｒｏｃｅｄｕｒｅ  ｉｎ  ＶＰＬＭＮ」）の利益を主張するものであり、該特許仮出願の内容は全てここに引用されるものとする。
【００１５】
〔詳細な説明〕
図１は、一例としての無線通信システム１０の概略図を示す。簡潔に述べれば、無線通信システム１０はネットワークおよび複数のモバイル機器からなる。無線通信システム１０は、例えば、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）、Ｌｏｎｇ−Ｔｅｒｍ  Ｅｖｏｌｕｔｉｏｎ（ＬＴＥ）システム、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、または、その他の任意の類似のネットワークシステムである。ＵＭＴＳシステムでは、ネットワークがＵｎｉｖｅｒｓａｌ  Ｔｅｒｒｅｓｔｒｉａｌ  Ｒａｄｉｏ  Ａｃｃｅｓｓ  Ｎｅｔｗｏｒｋ（ＵＴＲＡＮ）と呼ばれることがあり、このネットワークは複数の基地局（Ｎｏｄｅ  Ｂ）およびＲａｄｉｏ  Ｎｅｔｗｏｒｋ  Ｃｏｎｔｒｏｌｌｅｒ（ＲＮＣ）を備えている。また、モバイル機器はユーザ装置（“ＵＥ”；  ｕｓｅｒ  ｅｑｕｉｐｍｅｎｔ）と呼ばれる。ＵＥは、例えば携帯電話、コンピュータシステムなどのデバイスである。呼称しやすいように、本願ではこの用語を使用する。ただし、この呼称が、本開示をある特定のタイプのネットワークに限定していると解釈するべきではない。いくつかの例においては、ネットワークおよびＵＥを、送信方向に応じて送信機または受信機とみなしてかまわない。例えばアップリンク（“ＵＬ”：ｕｐｌｉｎｋ）の場合には、ＵＥが送信機であって、ネットワークが受信機である。また、ダウンリンク（“ＤＬ”：ｄｏｗｎｌｉｎｋ）の場合には、ネットワークが送信機であって、ＵＥが受信機である。
【００１６】
図２は、一例としての、通信装置２０の概略図を示す。通信装置２０は、例えば図１に示すモバイル機器であるが、ここでは限定されない。通信装置２０は、例えば、処理手段（例えばマイクロプロセッサまたは特定用途向け集積回路（ＡＳＩＣ））２００、記憶ユニット２１０、および、通信インターフェースユニット２２０を備えている。記憶ユニット２１０は、例えば、処理手段２００がアクセスするプログラムコード２１４を記憶できる、任意のデータ記憶デバイスである。記憶ユニット２１０の例としては、Ｓｕｂｓｃｒｉｂｅｒ  Ｉｄｅｎｔｉｔｙ  Ｍｏｄｕｌｅ（ＳＩＭ）／Ｕｎｉｖｅｒｓａｌ  Ｓｕｂｓｃｒｉｂｅｒ  Ｉｄｅｎｔｉｔｙ  Ｍｏｄｕｌｅ（ＵＳＩＭ）、読み出し専用メモリ（ＲＯＭ）、フラッシュメモリ、ランダムアクセスメモリ（ＲＡＭ）、ＣＤ−ＲＯＭ、磁気テープ、ハードディスク、光学式データ記憶装置などがあげられるが、これらの例に限定されるものではない。通信インターフェースユニット２２０は、好ましくは無線送受信機であって、処理手段２００の処理結果に合わせてネットワークと無線信号を送受信することができる。
【００１７】
図３は、一例としての、ＬＴＥシステムのためのプログラムコード２１４の概略図を示す。プログラムコード２１４は、上層から下層に向かって、非アクセス層（“ＮＡＳ”：Ｎｏｎ−ａｃｃｅｓｓ  Ｓｔｒａｔｕｍ）３００、ＲＲＣ（Ｒａｄｉｏ  Ｒｅｓｏｕｒｃｅ  Ｃｏｎｔｒｏｌ）層３１０、ＰＤＣＰ（Ｐａｃｋｅｔ  Ｄａｔａ  Ｃｏｎｖｅｒｇｅｎｃｅ  Ｐｒｏｔｏｃｏｌ）層３２０、ＲＬＣ（Ｒａｄｉｏ  Ｌｉｎｋ  Ｃｏｎｔｒｏｌ）層３３０、ＭＡＣ（Ｍｅｄｉｕｍ  Ａｃｃｅｓｓ  Ｃｏｎｔｒｏｌ）層３４０、および、物理（“ＰＨＹ”；ｐｈｙｓｉｃａｌ）層３５０の順に並ぶ、複数の通信プロトコル層のプログラムコードを含む。ＮＡＳ層３００は、Ｐｕｂｌｉｃ  Ｌａｎｄ  Ｍｏｂｉｌｅ  Ｎｅｔｗｏｒｋ（ＰＬＭＮ）の選択、エリア更新のトラッキング、ページング、認証、および、ＥＰＳ（Ｅｖｏｌｖｅｄ  Ｐａｃｋｅｔ  Ｓｙｓｔｅｍ）のベアラの確立、変更、および、解放の役割を担う。ＮＡＳ層３００は、さらにＡＳ層に対して指示を出し、ＵＥがサポートするすべての周波数をスキャンさせることもある。
【００１８】
図４は、一例としてのプロセス４０のフローチャートを示す。プロセス４０は、ＣＳＧの手動による選択の過程を処理するためにＵＥ（図１のモバイル機器）において使用される。プロセス４０は、プログラムコード２１４にコンパイルされてもよく、以下の各ステップを含んでいる。すなわち、
ステップ４００：開始。
【００１９】
ステップ４１０：ＵＥに対して、利用可能なすべてのＣＳＧ  ｉｄｅｎｔｉｔｙを表示するように、または、許可済みＣＳＧ  ｉｄｅｎｔｉｔｙのオペレータ制御リストに存在するＣＳＧ  ｉｄｅｎｔｉｔｙだけを表示するように指示するためのＰＬＭＮに基づく設定を、ＳＩＭ、ＵＳＩＭ、または、ＵＥのメモリに格納する。
【００２０】
ステップ４２０：ＣＳＧの手動による選択の間、ＰＬＭＮに基づく設定にしたがってＣＳＧ  ｉｄｅｎｔｉｔｙを表示する。
【００２１】
ステップ４３０：終了。
【００２２】
プロセス４０によれば、ＳＩＭ／ＵＳＩＭカードまたはＵＥのメモリ（例えば記憶ユニット２１０）は、上記ＵＥに対して利用可能なすべてのＣＳＧ  ｉｄｅｎｔｉｔｙを表示するように、または、許可済みＣＳＧ  ｉｄｅｎｔｉｔｙのオペレータ制御リスト（以下の記載では「オペレータＣＳＧリスト」と呼ぶ）に存在するＣＳＧ  ｉｄｅｎｔｉｔｙだけを表示するように指示するための、Ｈｏｍｅ  ＰＬＭＮ（ＨＰＬＭＮ）によって構成されるＰＬＭＮに基づいて情報を記憶する。したがって、ＵＥは、ＣＳＧの手動による選択の間、各ＰＬＭＮについての構成についてのＣＳＧ表示情報をＳＩＭ／ＵＳＩＭまたはＵＥのメモリから読み出し、そして、ＵＳＩＭから読み出した上記構成に基づいてＣＳＧ  ＩＤを表示する。したがって、ＨＰＬＭＮは、ＣＳＧを手動で選択するたびにＣＳＧ表示情報を構成する必要がなく、したがってＵＥは、各ＰＬＭＮについてすべてのＣＳＧ  ｉｄｅｎｔｉｔｙを表示するわけではない。例えば、ＨＰＬＭＮがＣＳＧの手動による選択においてＰＬＭＮに基づく設定を構成すれば、次のＣＳＧの手動による選択の際には、ＵＥがＰＬＭＮに基づく設定をそのメモリ／ＳＩＭ／ＵＳＩＭから自動的に読み出して、ＣＳＧ  ｉｄｅｎｔｉｔｙを表示する。
【００２３】
詳細に記すと、ＰＬＭＮに基づく設定を記憶し、ＵＥが利用可能なすべてのＣＳＧ  ｉｄｅｎｔｉｔｙを表示できるように、または、オペレータＣＳＧリストに存在するＣＳＧ  ｉｄｅｎｔｉｔｙだけを表示できるように、新しい基本ファイルがＳＩＭ／ＵＳＩＭまたはＵＥのメモリ内に定義される。ＨＰＬＭＮは、この基本ファイルＰＬＭＮに基づいて構成する。さらに、基本ファイルの読み出し許可は、ＰＩＮ（ｐｅｒｓｏｎａｌ  ｉｄｅｎｔｉｆｉｃａｔｉｏｎ  ｎｕｍｂｅｒ）の検証に基づいている。なお、ユーザは、基本ファイルの内容を修正することができない。ただし、ＨＰＬＭＮはＯＴＡ（ｏｖｅｒ−ｔｈｅ−ａｉｒ）メッセージ（例えばＳＭＳ）を送信して、基本ファイルを修正することができる。あるいは、ＳＩＭ／ＵＳＩＭまたはＵＥのメモリ内の既存の基本ファイル中に、各項目（例えば各ＰＬＭＮに基づく設定）について、利用可能なすべてのＣＳＧ  ｉｄｅｎｔｉｔｙの表示が許可されているのか、あるいは、オペレータＣＳＧリストに存在するＣＳＧ  ｉｄｅｎｔｉｔｙだけの表示が許可されているのかを示す新しいフィールドが追加される。ＨＰＬＭＮは、ＯＴＡメッセージを介してこのフィールドを修正することができる。
【００２４】
図５は、一例としてのプロセス５０のフローチャートを示す。プロセス５０は、ＣＳＧの手動による選択の過程を処理するためにＵＥ（図１のモバイル機器）において使用される。プロセス５０は、プログラムコード２１４にコンパイルされてもよく、以下の各ステップを含んでいる。すなわち、
ステップ５００：開始。
【００２５】
ステップ５１０：許可済みＣＳＧ  ｉｄｅｎｔｉｔｙのオペレータ制御リストに存在するＣＳＧ  ｉｄｅｎｔｉｔｙだけを表示するように構成する。
【００２６】
ステップ５２０：許可済みＣＳＧ  ｉｄｅｎｔｉｔｙのオペレータ制御リストが空であれば、ＣＳＧの手動による選択において周波数スキャンの実施を禁止する。
【００２７】
ステップ５３０：終了。
【００２８】
プロセス５０によれば、ＨＰＬＭＮがオペレータＣＳＧリストに存在するＣＳＧ  ｉｄｅｎｔｉｔｙだけを表示するようにＵＥを構成し、かつ、オペレータＣＳＧリストが空であれば、ＵＥは、ＣＳＧの手動による選択の過程において周波数スキャンを実施して利用可能なＣＳＧ  ｉｄｅｎｔｉｔｙを取得することを禁止される。例えば、ＮＡＳ層は、ＡＳ層に対してＵＥがサポートするすべての周波数をスキャンするようには指示しない。こうすることによって、電力消費が削減できるようになる。さらに、ＵＥは、ユーザに対して空のリストまたはエラーメッセージを表示してもよい。
【００２９】
なお、提案したステップを含めた上述のプロセスの各ステップは、例えばハードウェア、（ハードウェアデバイスと、ハードウェアデバイスに読み出し専用ソフトウェアとして保存されているコンピュータの命令およびデータとの組み合わせとして知られている）ファームウェア、電子システムなどの手段によって実現可能である。ハードウェアの例としては、マイクロ回路、マイクロチップ、または、シリコンチップとして知られている、アナログ回路、デジタル回路、混合回路などがあげられる。電子システムの例としては、システム・オン・チップ（ＳＯＣ）、システム・イン・パッケージ（Ｓiｐ）、コンピュータ・オン・モジュール（ＣＯＭ）、通信装置２０などがあげられる。
【００３０】
まとめると、ＣＳＧ  ｉｄｅｎｔｉｔｙを表示するための不必要な信号送信および不必要な電力消費回避するために、ＵＥのためにＣＳＧの手動による選択を処理するための典型的な例および手段を提供する。
【００３１】
当業者であれば、本発明の教唆を保持しながら、装置および方法に多数の調整および変更を加えてもかまわないことが容易に理解できるであろう。したがって、上記の開示は、添付の請求項の範囲によってのみ限定されると解釈されるべきである。
【００３２】
本願は、上記の問題を解決するために、無線通信システムにおいてＣＳＧの手動による選択を行なうための方法、および、関連する通信装置を開示する。
【００３３】
無線通信システムにおけるモバイル機器のための、Ｃｌｏｓｅｄ  Ｓｕｂｓｃｒｉｂｅｒ  Ｇｒｏｕｐ（ＣＳＧ）の手動による選択を行なうための方法を開示する。本方法は、上記モバイル機器に対して、利用可能なすべてのＣＳＧ  ｉｄｅｎｔｉｔｙを表示するように、または、許可済みＣＳＧ  ｉｄｅｎｔｉｔｙのオペレータ制御リストに存在するＣＳＧ  ｉｄｅｎｔｉｔｙだけを表示するように指示するためのＰｕｂｌｉｃ  Ｌａｎｄ  Ｍｏｂｉｌｅ  Ｎｅｔｗｏｒｋ（ＰＬＭＮ）に基づく設定を、Ｕｎｉｖｅｒｓａｌ  Ｓｕｂｓｃｒｉｂｅｒ  Ｉｄｅｎｔｉｔｙ  Ｍｏｄｕｌｅ（ＵＳＩＭ）またはモバイル機器のメモリに格納する工程と、上記ＣＳＧの手動による選択の間、ＰＬＭＮに基づく上記設定にしたがってＣＳＧ  ｉｄｅｎｔｉｔｙを表示する工程とを含んでいてもよい。
【００３４】
Ｃｌｏｓｅｄ  Ｓｕｂｓｃｒｉｂｅｒ  Ｇｒｏｕｐ（ＣＳＧ）の手動による選択を行なうための無線通信システムのモバイル機器を開示する。本モバイル機器は、上記モバイル機器に対して、利用可能なすべてのＣＳＧ  ｉｄｅｎｔｉｔｙを表示するように、または、許可済みＣＳＧ  ｉｄｅｎｔｉｔｙのオペレータ制御リストに存在するＣＳＧ  ｉｄｅｎｔｉｔｙだけを表示するように指示するためのＰｕｂｌｉｃ  Ｌａｎｄ  Ｍｏｂｉｌｅ  Ｎｅｔｗｏｒｋ（ＰＬＭＮ）に基づく設定を、Ｕｎｉｖｅｒｓａｌ  Ｓｕｂｓｃｒｉｂｅｒ  Ｉｄｅｎｔｉｔｙ  Ｍｏｄｕｌｅ（ＵＳＩＭ）またはモバイル機器のメモリに格納するための手段と、上記ＣＳＧの手動による選択の間、ＰＬＭＮに基づく上記設定にしたがってＣＳＧ  ｉｄｅｎｔｉｔｙを表示するための手段とを備えていてもよい。
【図１】
0005490929.tif 000002
【図２】
0005490929.tif 000003
【図３】
0005490929.tif 000004
【図４】
0005490929.tif 000005
【図５】
0005490929.tif 000006